(57)【要約】      （修正有）【課題】  飼育動物の無駄吠えやその他しつけ全般に対する道具として、飼育動物の声質または声量識別センサー付しつけ用「テープレコーダー」を提供する。【解決手段】  飼育動物の声質または声量を識別できるセンサーにより、反応したセンサーが飼い主の肉声による飼育動物に抑止を促す録音テープを自動的に再生し、ボリューム可変なスピーカーを通じて飼育動物の問題行動を抑止・静止させることができる装置である。飼育動物に装置が発見されないよう小型化を図り、飼い主の声を再生するスピーカー部分と装置本体を別々に設置することができる形態が望ましい。なお、スピーカーは飼育動物がいることの多い場所もしくは、問題行動をおこすことが多い場所に設置する。【選択図】  なし【特許請求の範囲】
【請求項１】
飼育動物と人間が共存できる社会を構築することを前提に考案したものである。飼育動物、特に犬が発する無駄吠え等による近隣住民に対する迷惑を軽減または撲滅することにより、お互いの関係・生活をスムースにしていく手段として考案した装置が本発明である。近年のペットブームにより、動物、特に犬を飼育する方が増加している。ただ、動物を飼育したのはいいが、飼育開始後の無駄吠え・しつけ不十分を原因として問題になってしまい、近隣の住民に迷惑をかけてしまっていることも事実である。本装置はこのような状況下において特に周辺住民への迷惑となっている無駄吠えはじめ問題行動を抑止・防止するためのものである。
この装置の請求の範囲として、無駄吠えに対して、飼育動物の発する声を分析できるセンサーを作動させ、これに反応した無駄吠えを静止する飼い主の肉声を録音したレコーダーのテープ部分を自動的に再生する。飼い主の声を聞いた飼育動物が無駄吠えを静止・抑止する装置を請求の範囲とする。
【請求項２】
無駄吠え防止のため、一定のボリューム以上に犬の声が発せられた場合に反応できるセンサーを装着し、飼育動物の発する声により予め無駄吠えを静止する飼い主の肉声を録音したレコーダーのテープ部分を自動的に再生することにより、飼い主の声を聞いた犬が無駄吠えを静止・抑止する装置を請求の範囲とする。
【請求項３】
無駄吠え以外に飼い主が犬に要求するすべてのしつけに対して、犬の声を分析できるセンサーを作動させ、センサーにより反応した飼い主の肉声を録音したレコーダーのテープ部分を自動的に再生する。これにより、飼い主の声を聞いた飼育動物に対し、飼い主が無駄吠え以外のすべてのしつけ行為を可能にする装置を請求の範囲とする。
【請求項４】
無駄吠え以外で一定のボリューム以上に飼育動物の声が発せられた場合に反応するセンサーを装着し、飼育動物の発する声により予め静止・抑止する飼い主の声を録音したレコーダーのテープ部分を自動的に再生する。これにより、飼い主の声を聞いた飼育動物に対し、飼い主が無駄吠え以外のすべてのしつけ行為を可能にする装置を請求の範囲とする。
【請求項５】
上記
【請求項１】
から
【請求項４】
までに使用されるテープレコーダーに加え、ＩＣレコーダーを使用する場合にも、同様の請求範囲とする。
【発明の詳細な説明】
【技術分野】
【０００１】  飼育動物の声質または声量を分析できるセンサー技術と、これに対応して作動するテープ再生機能技術が必要となる。
また、飼い主の肉声を録音する技術・スピーカー技術も必要となる。
【背景技術】
【０００２】  飼育動物の発する声の質を分析し、声が発せられた際にこれに反応して予め録音してある飼育動物の要求に対するしつけメッセージを自動的に再生することにより、飼い主の肉声を聞いた犬に対して問題行動を静止させる装置である。そのため、本装置の技術分野として、飼育動物の声質・声量のセンサー・分析装置が必要となる。
また、従来からあるテープレコーダー（ＩＣテープレコーダーを含む）の技術分野（マイク機能）が必要になる。
【発明の開示】
【発明が解決しようとする課題】
【０００３】  人間にとって精神的なゆとりある心を与えてくれる飼育動物。ただ、飼育の方法如何によっては、人間に多大な被害・危害を及ぼす可能性のある飼育動物。これらのリスクを最小限に抑止しなければならないことが、解決しようとする課題である。【０００４】  人間と共存する飼育動物が人間社会に与えるリスクを可能な限り抑止・防止することにより、より快適な人生を人間全体が送ることができるように努力しなければならない。
【課題を解決するための手段】
【０００５】  飼育動物の声質または声量を識別できるセンサーにより、これに反応した飼い主の肉声による飼育動物に抑止・静止を促す録音テープを自動的に再生し、飼育動物の問題行動を抑止する装置が必要となる。これにより、個々の飼育動物に対する個別しつけ対応が可能になり、従来から存在するしつけ道具とは一線を画すものとなる。特に、飼い主の不在時、別離不安からくる無駄吠えに対しては有効である。
【発明の効果】
【０００６】  この装置の発明・利用により、個々の飼育動物に対する個別のしつけ対応が可能になり、従来から存在するしつけ道具とは一線を画すものとなる。そのため、この発明装置は「しつけ」の概念を「教育」の概念に意識変化させるものとして位置付けすることができる。特に、飼い主が不在時に別離不安からくる飼育動物の無駄吠えに対しては、かなりの成果がでていることを発明者自身体験済である。【０００７】  今後飼育動物の増加が見込まれる現在、飼育者の近隣住人への配慮として飼育者には最低限度必用なマナーということができる。
【発明を実施するための最良の形態】
【０００８】  飼育動物の声質または声量に反応することができるセンサーを内臟し、かつ、それに反応することにより飼い主の肉声での録音部分を自動的に再生できる装置で、かつ小型化されたものが最良の形態と考える。同時に飼い主の肉声を録音することが可能なことと、その肉声を拡張して再生することが要求されるので、ボリューム調整装置を装着させたものとする。
【実施例】
【０００９】  飼育動物の声質または声量を識別できるセンサーにより、これに反応した飼い主の肉声による飼育動物に抑止・静止を促す録音テープを自動的に再生し、飼育動物の問題行動を抑止する装置とする。飼育動物に装置が発見されないよう小型化を図り、飼い主の声を再生するスピーカー部分と装置本体を別々に設置することができる形態が望ましい。個々の飼育動物に対する個別しつけ対応が可能になり、従来から存在するしつけ道具とは一線を画すものとなる。
【産業上の利用の可能性】
【００１０】  この装置は今後需要増加が見込まれるペット業界面と、これに伴なった近隣住民への配慮の必要性増加面との両面から、需要は見込まれる。また、従来の既製品感覚のしつけ道具から、各家庭で飼育動物に対するそれぞれの異なったしつけ上の悩みに個別に対応できる機能を備えているため、既に飼育動物のいる家庭または、新たに動物を飼育しようとする家庭には便利・かつ必要なものとして位置付けられる可能性が高い。また、本装置を動物飼育者が利用することにより飼育動物がいない家庭でも安心できる時間またはスペースが広がる可能性が高い。
【手続補正書】
【提出日】平成15年10月3日(2003.10.3)
【手続補正２】
【補正対象書類名】明細書
【補正対象項目名】特許請求の範囲
【補正方法】変更
【補正の内容】
【特許請求の範囲】【請求項０００１】  飼育動物と人間が共存できる社会を構築することを前提に考案したものである。飼育動物、特に犬が発する無駄吠え等による近隣住民に対する迷惑を軽減または撲滅することにより、お互いの関係・生活をスムースにしていく手段として考案した装置が本発明である。近年のペットブームにより、動物、特に犬を飼育する方が増加している。ただ、動物を飼育したのはいいが、飼育開始後の無駄吠え・しつけ不十分を原因として問題になってしまい、近隣の住民に迷惑をかけてしまっていることも事実である。本装置はこのような状況下において特に周辺住民への迷惑となっている無駄吠えはじめ問題行動を抑止・防止するためのものである。  この装置の請求の範囲として、無駄吠えに対して、飼育動物の発する声を分析できるセンサーを作動させ、これに反応した無駄吠えを静止する飼い主の肉声を録音したレコーダーのテープ部分を自動的に再生する。飼い主の声を聞いた飼育動物が無駄吠えを静止・抑止する装置を請求の範囲とする。【請求項０００２】  無駄吠え防止のため、一定のボリューム以上に犬の声が発せられた場合に反応できるセンサーを装着し、飼育動物の発する声により予め無駄吠えを静止する飼い主の肉声を録音したレコーダーのテープ部分を自動的に再生することにより、飼い主の声を聞いた犬が無駄吠えを静止・抑止する装置を請求の範囲とする。【請求項０００３】  無駄吠え以外に飼い主が犬に要求するすべてのしつけに対して、犬の声を分析できるセンサーを作動させ、センサーにより反応した飼い主の肉声を録音したレコーダーのテープ部分を自動的に再生する。これにより、飼い主の声を聞いた飼育動物に対し、飼い主が無駄吠え以外のすべてのしつけ行為を可能にする装置を請求の範囲とする。【請求項０００４】  無駄吠え以外で一定のボリューム以上に飼育動物の声が発せられた場合に反応するセンサーを装着し、飼育動物の発する声により予め静止・抑止する飼い主の声を録音したレコーダーのテープ部分を自動的に再生する。これにより、飼い主の声を聞いた飼育動物に対し、飼い主が無駄吠え以外のすべてのしつけ行為を可能にする装置を請求の範囲とする。【請求項０００５】  上記、請求項目１から請求項目４までに使用されるテープレコーダーに加え、ＩＣレコーダーを使用する場合にも、同様の請求範囲とする。